(57)【特許請求の範囲】
【請求項１】
電子装置を収納可能な第１筐体と、
機械駆動方式の記憶装置を収納可能であり、前記第１筐体に収納される第２筐体と、
前記第２筐体を摺動させる摺動機構と、
を備え、
前記第１筐体は、前記記憶装置の駆動速度を制御する制御部を備え、
前記制御部は、前記第２筐体が前記第１筐体から引き出される前に、前記記憶装置の駆動を停止させることなく駆動速度を低下させる、
ことを特徴とする、ストレージ装置。
【請求項２】
前記摺動機構は、移動部とガイド部とを備え、
前記移動部が前記ガイド部に案内されて移動することにより、前記第１筐体と前記第２筐体とは摺動される、
ことを特徴とする、請求項１に記載のストレージ装置。
【請求項３】
前記移動部は、棒状部材であり、
前記第２筐体は、前記移動部と平行に配設され、前記第１筐体と前記第２筐体との間で接続される配線を結束する結束部を備える、
ことを特徴とする、請求項２に記載のストレージ装置。
【請求項４】
前記第２筐体が前記第１筐体から引き出された状態において、前記第１筐体と前記第２筐体とは離隔して、空間が形成されることを特徴とする、請求項１〜３のいずれか１項に記載のストレージ装置。
【請求項５】
前記第１筐体は、前記第２筐体の摺動を抑止する摺動抑止部を備え、
前記摺動抑止部は、前記制御部が前記記憶装置の駆動速度を低下させた後に、前記抑止を解除する、
ことを特徴とする、請求項１〜４のいずれか１項に記載のストレージ装置。
【請求項６】
前記第２筐体が前記第１筐体に収納された状態で、前記電子装置と前記記憶装置との間には排熱空間が形成され、
前記第１筐体は、前記電子装置及び前記記憶装置から排出された熱を前記排熱空間を介して外部に排出する排熱装置を備える、
ことを特徴とする、請求項１〜５のいずれか１項に記載のストレージ装置。
【発明の詳細な説明】
【技術分野】
【０００１】
本発明は、ストレージ装置に関する。
【背景技術】
【０００２】
近年、データセンタにおいて扱われるデータの量が増加している。そのため、データセンタのストレージ装置が備える各ラックに搭載できるHard Disk Drive（ＨＤＤ）やSolid State Drive（ＳＳＤ）の数が増加されることにより、単位面積当たりの記憶容量が増加されている。
例えば、ストレージ装置の筐体前面に面して１列に並べて備えられる複数のＨＤＤやＳＳＤに加えて、ストレージ装置の筐体後方にも複数のＨＤＤやＳＳＤを１又は複数列に並べることで高密度に収容可能な高密度Drive Enclosure（ＤＥ）が知られている。つまり、高密度ＤＥは、ストレージ装置の筐体前面側から１列目のスペースに加えて、例えば２列目や３列目のスペースにも複数のＨＤＤやＳＳＤを収容可能である。
【先行技術文献】
【特許文献】
【０００３】
【特許文献１】実開昭６１−１４９３９７号公報
【特許文献２】実開平２−９１７１４号公報
【特許文献３】実開昭６１−１１１１９４号公報
【発明の概要】
【発明が解決しようとする課題】
【０００４】
上述のような高密度ＤＥに収容されるＨＤＤやＳＳＤは、例えばスライドレールによりストレージ装置から引き出された高密度ＤＥの筐体上方から取り付け／取り外しがされる。そのため、ストレージ装置の上段のラックに高密度ＤＥが搭載される場合には、データセンタの建屋の天井と高密度ＤＥとの間に保守者が入ることができず、ＨＤＤやＳＳＤの取り付け／取り外しができないおそれがある。これにより、ストレージ装置の上段のラックには高密度ＤＥを搭載させることができず、ストレージ装置の上段のラックが無駄なスペースとなり、運用効率が悪化するという課題がある。
【０００５】
１つの側面では、本発明は、ストレージ装置の保守性を確保しつつ、単位面積当たりの記憶容量を増加させることを目的とする。
【課題を解決するための手段】
【０００６】
このため、このストレージ装置は、電子装置を収納可能な第１筐体と、機械駆動方式の記憶装置を収納可能であり、前記第１筐体に収納される第２筐体と、前記第２筐体を摺動させる摺動機構と、を備え、前記第１筐体は、前記記憶装置の駆動速度を制御する制御部を備え、前記制御部は、前記第２筐体が前記第１筐体から引き出される前に、前記記憶装置の駆動を停止させることなく駆動速度を低下させる。
【発明の効果】
【０００７】
開示のストレージ装置によれば、ストレージ装置の保守性を確保しつつ、単位面積当たりの記憶容量を増加させることができる。
【図面の簡単な説明】
【０００８】
【図１】実施形態の一例としてのストレージ装置の構成を示す分解斜視図である。
【図２】実施形態の一例としてのストレージ装置が備える固定筐体の構成を示す前面斜視図である。
【図３】実施形態の一例としてのストレージ装置が備える固定筐体の構成を示す背面斜視図である。
【図４】実施形態の一例としてのストレージ装置が備える可動筐体の構成を示す前面斜視図である。
【図５】実施形態の一例としてのストレージ装置が備える可動筐体の構成を示す背面斜視図である。
【図６】実施形態の一例としてのストレージ装置の収納状態を示す正面図である。
【図７】実施形態の一例としてのストレージ装置の収納状態を示す左側面図である。
【図８】実施形態の一例としてのストレージ装置の引き出し状態における構成を示す左側面図である。
【図９】実施形態の一例としてのストレージ装置の引き出し状態における構成を示す前面斜視図である。
【図１０】実施形態の一例としてのストレージ装置の引き出し状態における構成を示す背面斜視図である。
【図１１】実施形態の一例としてのストレージ装置が備えるロック機構の構成を示す部分斜視図である。
【図１２】（ａ）は実施形態の一例としてのストレージ装置が備えるロック機構の構成を示す背面側から見た部分断面図であり、（ｂ）はその右側面側から見た部分断面図である。
【図１３】実施形態の一例としてのストレージ装置が備える排熱機構の構成を示す左側面側から見た部分断面図である。
【図１４】実施形態の一例としてのストレージ装置の設置例を示す図である。
【図１５】実施形態の一例としてのストレージ装置における引き出し処理を説明するフローチャートである。
【発明を実施するための形態】
【０００９】
以下、図面を参照してストレージ装置に係る一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１０】
また、各図は、図中に示す構成要素のみを備えるという趣旨ではなく、他の機能等を含むことができる。
以下、図中において、同一の各符号は同様の部分を示しているので、その説明は省略する。
【００１１】
〔Ａ〕実施形態の一例
〔Ａ−１〕システム構成
図１は、実施形態の一例としてのストレージ装置の構成を示す分解斜視図である。
ストレージ装置１は、図７等を用いて後述するＤＥ４が備える複数のＨＤＤやＳＳＤ（不図示）を搭載し、ストレージ装置１の外部又は内部に備えられるサーバ装置（不図示）に対して記憶領域を提供する装置である。ストレージ装置１は、例えば、Redundant Arrays of Inexpensive Disks（ＲＡＩＤ）を用いて複数のＨＤＤやＳＳＤにデータを分散又は冗長化した状態で保存する。ストレージ装置１は、図１に示すように、固定筐体２及び可動筐体３を備える。
【００１２】
固定筐体２は、第１筐体の一例であり、図７等を用いて後述する１又は複数のＤＥ４を収容可能である。なお、図７等においては、固定筐体２に１つのＤＥ４を収納した例を示している。
固定筐体２は、図１に示すように、直方体の箱形状を有し、例えば長方形状の上面パネル２１と底面パネル２２とを互いに平行に配設する。また、上面パネル２１と底面パネル２２とは、右側柱２５と左側柱２６と右側パネル２７と左側パネル２８とにより支持される。右側柱２５と左側柱２６とは互いに平行に配設され、右側パネル２７と左側パネル２８とは対向して互いに平行に配設される。固定筐体２において、右側柱２５と右側パネル２７とが一面を成し、左側柱２６と左側パネル２８とが一面を成す。
【００１３】
以下、図１〜図１４を用いて説明する際に、ストレージ装置１において、上面パネル２１と下面パネル２２との間を左側柱２６が延在する方向と平行な方向を上下方向という。また、左側柱２６及び左側パネル２８が接続される上面パネル２１の辺と平行な方向を前後方向といい、右側柱２５及び左側柱２６が接続される上面パネル２１の辺と平行な方向を左右方向という。
【００１４】
固定筐体２において、上面パネル２１と下面パネル２２と右側パネル２７と左側パネル２８とによって環囲される空間（以下、「ラック領域２０ｄ」という。：図７を参照）には、ＤＥ４が収納される。また、固定筐体２内におけるＤＥ４が収納される空間よりも前方の空間（以下、「収納領域２０ｅ」という。：図７を参照）には、可動筐体３が出し入れ自在に収納される。
【００１５】
図１に示すように、固定筐体２の右側柱２５と右側パネル２７とを有する面は右側面カバー２３によってカバーされ、左側柱２６と左側パネル２８とを有する面は左側面カバー２４によってカバーされる。
固定筐体２が備える機能構成の詳細は、図２及び図３等を用いて後述する。
可動筐体３は、第２筐体の一例であり、図７等を用いて後述する１又は複数のＤＥ４を収容可能である。なお、図７等においては、可動筐体３に１つのＤＥ４を収納した例を示している。また、可動筐体３は、図６及び図７等を用いて後述するように、固定筐体２に対して移動可能に構成され、固定筐体２に収納される。
【００１６】
可動筐体３は、図１に示すように、直方体の箱形状を有し、例えばほぼ正方形状の上面パネル３１と底面パネル３２とを互いに平行に配設する。また、上面パネル３１と底面パネル３２とは、右側面パネル３３と左側面パネル３４とにより支持される。右側面パネル３３と左側面パネル３４とは、互いに平行に配設される。可動筐体３の前後方向，左右方向及び上下方向の各寸法は、固定筐体２における収納領域２０ｅの内法の前後方向，左右方向及び上下方向の各寸法よりもそれぞれ小さい。
可動筐体３が備える機能構成の詳細は、図４及び図５等を用いて後述する。
【００１７】
図２は実施形態の一例としてのストレージ装置が備える固定筐体の構成を示す前面斜視図であり、図３はその背面斜視図である。
図２に示すように、上面パネル２１と左側柱２６と底面パネル２２と右側柱２５とは、開口（以下、「前面開口２０ａ」等という場合がある。）を形成する。また、上面パネル２１と左側パネル２８と底面パネル２２と左側柱２６とは、開口（以下、「左側面開口」等という場合がある。）を形成する。図３に示すように、上面パネル２１と右側柱２５と底面パネル２２と右側パネル２７とは、開口（以下、「右側面開口」等という場合がある。）を形成する。また、上面パネル２１と右側パネル２７と底面パネル２２と左側パネル２８とは、開口（以下、「背面開口２０ｂ」等という場合がある。）を形成する。
【００１８】
固定筐体２は、図１〜図３に示すように、操作パネル２０１，ファン２０２，Power Distribution Unit（ＰＤＵ）２０３，パネル用ケーブル２０４，上側ガイド部２０５，２０５，下側ガイド部２０６，２０６及び搭載レール２０８，２０８を備える。また、固定筐体２は、図１１〜図１２（ｂ）を用いて後述するように、ロック機構２０ｃを備える。
【００１９】
搭載レール２０８，２０８は、図２及び図３に示すように、右側パネル２７及び左側パネル２８に備えられ、図７等を用いて後述するように１又は複数のＤＥ４を搭載可能な支持部材である。固定筐体２内に搭載レール２０８，２０８を複数備えることで、固定筐体２のラック領域２０ｄは、例えば１９インチラックとして機能する。
ファン２０２は、排熱装置の一例であり、図１に示すように可動筐体３の上面パネル２１に形成される排気口２１１の内側に備えられる。ファン２０２は、図７等を用いて後述するＤＥ４から排出された熱を排気口２１１を介して外部に排出する。なお、ファン２０２が備える機能の詳細は、図１３を用いて後述する。
【００２０】
ＰＤＵ２０３は、図２に示すように、左側パネル２８の左側面開口側の面に備えられ、図７等を用いて後述するＤＥ４等に電力を供給するための複数（図２に示す例では８つ）のソケット２０３ａ（符号は１つのソケットに対してのみ図示）を備える。なお、図１及び図２においては左側パネル２８に２つのＰＤＵ２０３を示しているが、左側パネル２８に備えられるＰＤＵ２０３の数は種々変更することができる。また、ＰＤＵ２０３は、右側パネル２７の右側面開口側の面に備えられても良い。
【００２１】
上面パネル２１には、右端位置と左端位置とにおいて、前面開口２０ａを挟むように、一対の上側ガイド部２０５，２０５が前後方向に沿って形成される。また、下面パネル２２には、右端位置と左端位置とにおいて、前面開口２０ａを挟むように、一対の下側ガイド部２０６，２０６が前後方向に沿って形成される。すなわち、上側ガイド部２０５，２０５と下側ガイド部２０６，２０６とは、互いに平行に形成される。
【００２２】
図２に示す上側ガイド部２０５，２０５及び下側ガイド部２０６，２０６は、ガイド部の一例であり、可動筐体３の上側レール３０３，３０３及び下側レール３０４，３０４をそれぞれ摺動させる。
上側ガイド部２０５，２０５は、上面パネル２１において固定筐体２の内側に備えられ、図４及び図５等を用いて後述する可動筐体３の上側レール３０３，３０３を案内する。上側ガイド部２０５，２０５は、上側パネル２１において前後方向へ延在する直線状の溝として形成される。上側パネル２１の左右に形成される２つの直線状の溝は、互いに平行に形成される。
【００２３】
下側ガイド部２０６，２０６は、下面パネル２２において固定筐体２の内側に備えられ、図４及び図５等を用いて後述する可動筐体３の下側レール３０４，３０４を案内する。下側ガイド部２０６，２０６は、下側パネル２２において前後方向へ延在する直線状の溝として形成される。下側パネル２１の左右に形成される２つの直線状の溝は、互いに平行に形成される。
【００２４】
操作パネル２０１は、図２及び図３に示すように、例えば固定筐体２の右側柱２５の前面側に備えられ、オペレータ（保守者）が各種の入力操作を行なう入力装置である。操作パネル２０１は、オペレータによる入力に基づき、ストレージ装置１の運用モードを通常モード又は保守モードに設定する。通常モードはストレージ装置１の通常運用中に設定されるモードであり、保守モードはストレージ装置１の保守作業中に設定されるモードである。
【００２５】
本実施形態の一例において、可動筐体３は、図７等を用いて後述するＤＥ４の保守作業等のために、固定筐体２から引き出される。ＤＥ４にＨＤＤ等の機械駆動方式の記憶装置が搭載される場合に、ＨＤＤ等の駆動速度が高速の状態で可動筐体３が固定筐体２から引き出されると、ＨＤＤ等の故障が発生するおそれがある。そこで、保守モードにおけるＨＤＤ等の駆動速度は、通常モードにおける駆動速度よりも低速に設定される。これにより、システムの活性状態で、保守作業を行なうことが可能となる。
【００２６】
操作パネル２０１は、例えばField-Programmable Gate Array（ＦＰＧＡ）により設計される制御部２０１ａを内蔵する。制御部２０１ａは、ＨＤＤ等の駆動速度を制御し、可動筐体３が固定筐体２から引き出される前にＨＤＤ等の駆動速度を低下させる。制御部２０１ａは、例えばＨＤＤ等を省電力モード（ＥＣＯモード）に移行させることにより、ＨＤＤ等の駆動速度を低下させる制御を行なう。
【００２７】
なお、制御部２０１ａは、操作パネル２０１に内蔵されていなくても良い。制御部２０１ａは、例えば、固定筐体２の搭載レール２０８，２０８又は可動筐体３の搭載レール３０７，３０７（図４及び図５を用いて後述）に備えられていても良く、ストレージ装置１と通信可能に接続されたサーバ装置（不図示）に備えられても良い。
パネル用ケーブル２０４は、図２及び図３に示すように、操作パネル２０１から右側柱２５を経由して右側パネル２７方向へ延在して備えられ、操作パネル２０１とＤＥ４やサーバ装置（不図示）とを通信可能に接続するケーブルである。
【００２８】
図４は実施形態の一例としてのストレージ装置が備える可動筐体の構成を示す前面斜視図であり、図５はその背面斜視図である。
上面パネル３１と左側面パネル３４と底面パネル３２と右側面パネル３３とは、図４に示すように、開口（以下、「前面開口３０ａ」等という場合がある。）を形成する。また、上面パネル３１と右側面パネル３３と底面パネル３２と左側面パネル３４とは、図５に示すように、開口（以下、「背面開口３０ｂ」等という場合がある。）を形成する。すなわち、可動筐体３において、前面開口３０ａとは反対側に背面開口３０ｂが形成される。
【００２９】
可動筐体３は、図４及び図５に示すように、ハンドル３０１１，３０１２，キャスタ３０２，３０２，上側レール３０３，３０３，下側レール３０４，３０４，クランプ３０５，ＰＤＵ３０６（図５参照）及び搭載レール３０７，３０７を備える。
搭載レール３０７，３０７は、図４及び図５に示すように、右側面パネル３３及び左側面パネル３４に備えられ、図７等を用いて後述するように１又は複数のＤＥ４を搭載可能な支持部材である。可動筐体３内に搭載レール３０７，３０７を複数備えることで、可動筐体３は、例えば１９インチラックとして機能する。
【００３０】
キャスタ３０２，３０２は、図４に示すように、底面パネル３２において可動筐体３の外側に備えられる。キャスタ３０２，３０２は、可動筐体３が移動する際に発生する床面との抵抗を減少させ、可動筐体３がスムーズに移動できるようにする。なお、図４においては下側パネル３２に２つのキャスタ３０２を示しているが、下側パネル３２に備えられるキャスタ３０２の数は種々変更することができる。
【００３１】
ＰＤＵ３０６は、図５に示すように、右側面パネル３３の背面開口側３０ｂ及び左側面パネル３４の背面開口側３０ｂの面に備えられ、図７等を用いて後述するＤＥ４等に電力を供給するための複数（図５に示す例では８つ）のソケット３０６ａ（符号は１つのソケットに対してのみ図示）を備える。なお、図５においては右側面パネル３３及び左側面パネル３４にそれぞれ２つのＰＤＵ３０６を示しているが、右側面パネル３３及び左側面パネル３４に備えられるＰＤＵ３０６の数は種々変更することができる。
【００３２】
図５に示す上側レール３０３，３０３及び下側レール３０４，３０４は、移動部の一例であり、固定筐体２の上側ガイド部２０５，２０５及び下側ガイド部２０６，２０６と係合し、上側ガイド部２０５，２０５及び下側ガイド部２０６，２０６に対してそれぞれ摺動する。上側レール３０３，３０３と下側レール３０４，３０４とは、互いに平行に配設される。
【００３３】
上側レール３０３，３０３は、上面パネル３１の背面側において右端位置と左端位置とに背面開口３０ｂを挟むように互いに平行に突出する。上側レール３０３，３０３は、上側パネル３１に着設される例えば金属製の棒状部材であり、固定筐体２の上側ガイド部２０５，２０５によって案内される。上側レール３０３，３０３は、上側パネル３１において前後方向へ延在する。上側レール３０３，３０３は、互いに平行に着設される。
【００３４】
下側レール３０４，３０４は、下面パネル３２の背面側において右端位置と左端位置とに背面開口３０ｂを挟むように互いに平行に突出する。下側レール３０４，３０４は、下側パネル３２に着設される例えば金属製の棒状部材であり、固定筐体２の下側ガイド部２０６，２０６によって案内される。下側レール３０４，３０４は、下側パネル３２において前後方向へ延在する。下側レール３０４，３０４は、互いに平行に着設される。
【００３５】
固定筐体２の上側ガイド部２０５，２０５及び下側ガイド部２０６，２０６と可動筐体３の上側レール３０３，３０３及び下側レール３０４，３０４とは、固定筐体２と可動筐体３とを摺動させる摺動機構の一例として機能する。
クランプ３０５は、結束部の一例であり、固定筐体２と可動筐体３との間で接続されるケーブル（配線）を結束する。クランプ３０５は、例えばリング状の部材である。クランプ３０５は、図５に示すように底面パネル３２の背面開口側３０ｂの面に着設される例えばＬ字型の板金上に１又は複数個（図５に示す例では２つ）備えられる。なお、クランプ３０５が備えられる位置や数は、種々変更することができる。
【００３６】
クランプ３０５が備えられるＬ字型の板金は、上側レール３０３，３０３及び下側レール３０４，３０４と平行に配設される。Ｌ字型の板金の外側面（山折り形状を有する面）のうち、山折り線を境界として、面積が大きい方の面には、クランプ３０５が備えられる。また、面積が小さい方の面は、結束部材が可動筐体３の内側に向くように、底面パネル３２に着設される。なお、図５においては下側パネル３２に２つのＬ字型の板金を示しているが、下側パネル３２に備えられるＬ字型の板金の数及び位置は種々変更することができる。
【００３７】
図４に示すように、ハンドル３０１１は右側面パネル３３の前面開口側３０ａの面に突出するように備えられ、ハンドル３０１２は左側面パネル３４の前面開口側３０ｂの面に突出するように備えられる。右側面パネル３３に備えられるハンドル３０１１は、図５に示すように、把持部３０１ａ及び突起部３０１ｂによって形成される。また、左側面パネル３４に備えられるハンドル３０１２は、図４に示すように、把持部３０１ａによって形成される。
【００３８】
把持部３０１ａ，３０１ａは、可動筐体３を固定筐体２から引き出す際にオペレータが把持する部材である。把持部３０１ａ，３０１ａは例えば「コ」の字の（Ｕ字）形状を有し、把持部３０１ａ，３０１ａの一端は右側面パネル３３又は左側面パネル３４から可動筐体３の内部へ挿入される。
右側面パネル３３に備えられるハンドル３０１１において、把持部３０１ａにおける可動筐体３内に挿入される側の端部には、突起部３０１ｂが固定される。本例では、把持部３０１ａと突起部３０１ｂとは、９０度ずらして固定される。図５に示すように、把持部３０１ａの一端を下げて床面に対して鉛直状にした状態で、突起部３０１ｂは、右側面パネル３３から突出する。
【００３９】
右側面パネル３３のハンドル３０１１に備えられる突起部３０１ｂは、オペレータによるハンドル３０１１の回転によって、把持部３０１ａと一体となって回転する。突起部３０１ｂの機能構成の詳細は、図１１〜図１２（ｂ）を用いて後述する。
【００４０】
図６は実施形態の一例としてのストレージ装置の収納状態を示す正面図であり、図７はその左側面図である。
なお、図７においては、固定筐体２及び可動筐体３の一部を透過して示している。
可動筐体３が固定筐体２に収納された状態において、可動筐体３に備えられる２つのハンドル３０１１，３０１２は、図６及び図７に示すように、床面に対して垂直方向を向いている。
【００４１】
固定筐体２は、図７に示すように、搭載レール２０８，２０８（図７には不図示）に１又は複数（図示する例では１つ）のＤＥ４を備える。また、可動筐体３は、図６及び図７に示すように、搭載レール３０７，３０７（図６及び図７には不図示）に１又は複数（図示する例では１つ）のＤＥ４を備える。
ＤＥ４は、複数のＨＤＤやＳＳＤ等の記憶装置を備える。
【００４２】
固定筐体２に備えられるＤＥ４は、図７に示すように、ＤＥ４の正面４１が固定筐体２の背面開口２０ｂ側になるように搭載される。また、可動筐体３に備えられるＤＥ４は、ＤＥ４の正面４１が可動筐体３の前面開口３０ａ側になるように搭載される。ここで、ＤＥ４の正面４１とは、ＤＥ４において複数のＨＤＤやＳＳＤが挿入される側の面である。
【００４３】
つまり、固定筐体２に備えられるＤＥ４は、ＤＥ４の背面４２が固定筐体２の前面開口２０ａ側になるように搭載される。また、可動筐体３に備えられるＤＥ４は、ＤＥ４の背面４２が可動筐体３の背面開口３０ｂ側になるように搭載される。ここで、ＤＥ４の背面４２とは、ＤＥ４の正面４１に対向する面であり、各種ケーブルを接続可能なソケットが備えられる面である。
【００４４】
言い換えれば、固定筐体２に備えられるＤＥ４の背面４２と可動筐体３に備えられるＤＥ４の背面４２とは、互いに対向してストレージ装置１に搭載される。
ＤＥ４には、図示しないファンが備えられ、ＤＥ４内を冷却した風が背面４２から排出される（図１３を参照）。
【００４５】
図８は実施形態の一例としてのストレージ装置の引き出し状態における構成を示す左側面図であり、図９はその前面斜視図であり、図１０はその背面斜視図である。
なお、図８においては、固定筐体２及び可動筐体３の一部を透過して示している。
可動筐体３が固定筐体２から引き出された状態において、可動筐体３に備えられる２つのハンドル３０１１，３０１２は、図８及び図９に示すように、床面に対して水平方向を向く。
【００４６】
図８〜図１０に示すように、可動筐体３が固定筐体２から引き出された状態において、固定筐体２と可動筐体３とは離隔して、保守スペースＡ（図８の網掛け部参照）が形成される。オペレータは、固定筐体２と可動筐体３との間に形成された保守スペースＡに入ることによって、固定筐体２に搭載されたＤＥ４及び可動筐体３に搭載されたＤＥ４の保守をすることができる。保守スペースＡは、固定筐体２と可動筐体３とに挟まれた空間であって、上側ガイド部２０５，２０５及び下側ガイド部２０６，２０６から上側レール３０３，３０３及び下側レール３０４，３０４がそれぞれ引き出されることにより拡張された空間である。
【００４７】
図１１は実施形態の一例としてのストレージ装置が備えるロック機構の構成を示す部分斜視図であり、図１２（ａ）はその背面側から見た部分断面図であり、図１２（ｂ）はその右側面から見た部分断面図である。
ハンドル３０１１，３０１２は、把持部３０１ａが可動筐体３の内部へ挿入される点を軸に回転可能に備えられる。具体的には、右側面パネル３３に備えられるハンドル３０１１は、図９等を用いて示したように、ストレージ装置１の正面から見て反時計回りに４５度回転可能である。また、左側面パネル３４に備えられるハンドル３０１２は、ストレージ装置１の正面から見て時計回りに４５度回転可能である。オペレータは、図６等を用いて示したように、可動筐体３を固定筐体２に収納した際に、ハンドル３０１１，３０１２を床面に対して垂直な方向に回転させる。一方、オペレータは、図９等を用いて示したように、可動筐体３を固定筐体２から引き出す際に、ハンドル３０１１，３０１２を床面に対して水平な方向に回転させる。
【００４８】
可動筐体３の右側面パネル３３には、図１１〜図１２（ｂ）に示すように、ハンドル３０１１の取り付け位置付近に穴３３１が形成される。
突起部３０１ｂは、把持部３０１ａの回動に従って、穴３３１から出し入れ自在に形成される。
ハンドル３０１１の突起部３０１ｂは、ハンドル３０１１が床面に対して垂直方向を向いている状態（以下、閉状態という。）では、穴３３１を介して可動筐体３の内側方向から外側（固定筐体２）方向へ突出する。
【００４９】
このようなハンドル３０１の閉状態において、可動筐体３が固定筐体２から引き出されそうとすると、突起部３０１ｂは、固定筐体２の右側柱２５に当接する。これにより、突起部３０１ｂは、可動筐体３が固定筐体２から引き出されることを抑止する。
一方、図８〜図１０に示したハンドル３０１１が床面に対して水平方向を向いている状態（以下、開状態という。）においては、突起部３０１ｂは、穴３３１の中に収納される。これにより、突起部３０１ｂが固定筐体２の右側柱２５に当接することなく、可動筐体３は、固定筐体２から引き出される。
【００５０】
固定筐体２は、図１１〜図１２（ｂ）に示すように、ロック機構２０ｃを備える。ロック機構２０ｃは、モータ２０７及びロック部２０７ａを備える。モータ２０７は、その回転軸を左右方向に沿って、右側柱２５に配置される。モータ２０７の回転軸の先端は、板状のロック部２０７ａの一端に取り付けられる。モータ２０７を回動させると、ロック部２０７ａはモータ２０７の回転軸を中心に回動する。
【００５１】
ストレージ装置１の通常運用中（通常モード）において、ロック部２０７ａは、図１１に示すように、穴３３１から突出したロック状態となり、ハンドル３０１１の突起部３０１ｂの下部に当接する。これにより、ロック部２０７ａは、ハンドル３０１１が図１１及び図１２（ａ）の矢印Ｂで示す方向に回転されることを抑止する。
一方、ストレージ装置１の保守作業のために、操作パネル２０１によって、運用モードが保守モードに設定され、ＤＥ４が備えるＨＤＤ等の駆動速度が低下させられた後に、モータ２０７の回転軸は、図１１及び図１２（ｂ）の矢印Ｃで示す方向に回転する。これにより、ロック部２０７ａは、穴３３１に収納された解放状態となり、ハンドル３０１１の突起部３０１ｂの下部から離隔し、ハンドル３０１１は図１１及び図１２（ａ）の矢印Ｂで示す方向に回転可能となる。つまり、ハンドル３０１１の突起部３０１ｂは穴３３１の中へ収納され、可動筐体３は固定筐体２から引き出し可能となる。
【００５２】
このように、モータ２０７は、ハンドル３０１１の回動を抑止することで、可動筐体３の摺動を抑止し、制御部２０１ａによってＤＥ４が備えるＨＤＤ等の駆動速度が低下された後に摺動の抑止を解除する摺動抑止部の一例として機能する。
【００５３】
図１３は、実施形態の一例としてのストレージ装置が備える排熱機構の構成を示す左側面側から見た部分断面図である。
図１３に示すように、可動筐体３が固定筐体２に収納された状態で、固定筐体２に搭載されるＤＥ４と可動筐体３に搭載されるＤＥ４との間に、各ＤＥ４によって排出された熱をストレージ装置１の外部に排出するための排熱空間Ｄが形成される。
【００５４】
ファン２０２は、上面パネル２１と排熱空間Ｄとの間に備えられ、例えばＰＤＵ２０３から電力を供給される。また、排気口２１１は、上面パネル２１において、ファン２０２の上側に形成される。
固定筐体２に搭載されるＤＥ４及び可動筐体３に搭載されるＤＥ４からの熱気は、図１３の符号Ｅ１及びＥ２でそれぞれ示すように排出される。符号Ｅ１及びＥ２で示す熱気は、ファン２０２の回転により、図１３の符号Ｅ３で示すように、ファン２０２に吸引される。そして、ファン２０２に吸引された熱気は、排気口２１１を介して、ストレージ装置１の外部へ排出される。
【００５５】
つまり、ファン２０２は、固定筐体２に搭載されるＤＥ４及び可動筐体３に搭載されるＤＥ４から排出された熱を排熱空間Ｄを介して外部へ排出する排熱装置の一例として機能する。
【００５６】
図１４は、実施形態の一例としてのストレージ装置の設置例を示す図である。
図１４に示す例においては、２つのストレージ装置１が互いに隣接して設置されている。
図１４に示す例においても、図８〜図１０に示した例と同様に、可動筐体３が固定筐体２から引き出された場合に、固定筐体２と可動筐体３との間に保守スペースＡが形成される。これにより、オペレータは、保守スペースＡに入り、固定筐体２に搭載されるＤＥ４（図１４には不図示）及び可動筐体３に搭載されるＤＥ４の保守作業をすることができる。
【００５７】
〔Ａ−２〕動作
上述の如く構成された実施形態の一例としてのストレージ装置における引き出し処理を、図１５に示すフローチャート（ステップＳ１〜Ｓ１６）に従って説明する。
初期状態においてストレージ装置１に設定されている通常モードの状態では、ハンドル３０１１，３０１２は閉状態であり、モータ２０７はロック状態である。
【００５８】
オペレータは、操作パネル２０１のスイッチを保守モードに設定する（ステップＳ１）。
制御部２０１ａは、パネル用ケーブル２０４を介して通信可能に接続されるサーバ装置（不図示）に対して、運用モードが保守モードに設定されたことを示す信号を送信する（ステップＳ２）。
【００５９】
サーバ装置の専用ソフトは、制御部２０１ａが送信した信号を受信する（ステップＳ３）。
サーバ装置の専用ソフトは、ストレージ装置１に対して、省電力モード（ＥＣＯモード）を起動するよう指示する（ステップＳ４）。
ストレージ装置１は、ＤＥ４が搭載するＨＤＤ等の回転速度を低下させることで、省電力モードに移行する（ステップＳ５）。
【００６０】
サーバ装置の専用ソフトは、制御部２０１ａに対して、ストレージ装置１で省電力モードが起動されたことを通知する（ステップＳ６）。
制御部２０１ａは、モータ２０７を回動させて解放状態にすることで、ハンドル３０１１のロックを解除する（ステップＳ７）。これにより、可動筐体３が移動可能な状態となる。
【００６１】
制御部２０１ａは、オペレータに対して、可動筐体３が移動可能であることを通知する（ステップＳ８）。制御部２０１ａは、例えば、操作パネル２０１が備えるディスプレイ（不図示）の表示を変更したり、操作パネル２０１が備えるスピーカ（不図示）から音を発したりすることにより、可動筐体３が移動可能であることをオペレータに通知する。
【００６２】
オペレータは、ハンドル３０１１，３０１２を床面に対して水平方向になるように回転させ、可動筐体３を固定筐体２から引き出すことにより、保守スペースＡ（図８の網掛け部参照）を作る（ステップＳ９）。
オペレータは、固定筐体２又は可動筐体３に搭載されたＤＥ４やストレージ装置１が搭載するその他の装置の保守交換作業を行なう（ステップＳ１０）。
【００６３】
オペレータは、可動筐体３を固定筐体２に収納することにより、可動筐体３を初期位置に戻す（ステップＳ１１）。
オペレータは、ハンドル３０１１，３０１２を床面に対して垂直方向になるように回転させることで、閉状態にする。（ステップＳ１２）。
オペレータは、操作パネル２０１のスイッチを通常モードに設定する（ステップＳ１３）。
【００６４】
制御部２０１ａは、モータ２０７を回転させてロック状態にすることにより、ハンドル３０１１をロックする（ステップＳ１４）。
制御部２０１ａは、ストレージ装置１に設定された省電力モードを解除し、省電力モードを解除したことをサーバ装置の専用ソフトに通知する（ステップＳ１５）。
制御部２０１ａは、操作パネル２０１のディスプレイの表示を動作モードが通常モードに設定されていることを示す表示に設定し（ステップＳ１６）、処理は終了する。
【００６５】
なお、上述したステップＳ２〜Ｓ６において、制御部２０１ａは、サーバ装置の専用ソフトを介してＤＥ４が搭載するＨＤＤ等の回転数を低下させることとしたが、これに限定されるものではない。例えば、制御部２０１ａは、ＤＥ４が搭載するＨＤＤ等の回転数を低下させる制御を直接行なっても良い。この場合には、制御部２０１ａは、サーバ装置の専用ソフトに対して、省電力モードを起動したことを通知しても良い。
【００６６】
〔Ａ−３〕効果
固定筐体２はＤＥ４を収容可能であり、可動筐体３はＤＥ４を収容可能であって固定筐体２に収納され、上側ガイド部２０５，下側ガイド部２０６，上側レール３０３及び下側レール３０４は可動筐体３を摺動させる。また、上側レール３０３及び下側レール３０４が上側ガイド部２０５及び下側ガイド部２０６にそれぞれ案内されて移動することにより、固定筐体２と可動筐体３とは摺動される。
【００６７】
これらにより、ストレージ装置１の保守性を確保しつつ、単位面積当たりの記憶容量を増加させることができる。また、単位面積当たりの記憶容量を増加させるために、構造が複雑で製造コストの高い高密度ＤＥをストレージ装置１に搭載する必要がなく、既存のＤＥ４をストレージ装置１に搭載すれば良いため、ストレージ装置１の設置コストを低減させることができる。
【００６８】
クランプ３０５は、上側レール３０３及び下側レール３０４と平行に配設され、固定筐体２と可動筐体３との間で接続される配線を結束する。
これにより、可動筐体３が固定筐体２から引き出された状態において、配線が絡まったり、破損したりする障害を防止することができる。
【００６９】
可動筐体３が固定筐体２から引き出された状態において、固定筐体２と可動筐体３とは離隔して、保守スペースＡ（図８の網掛け部参照）が形成される。
これにより、保守スペースＡにオペレータが入り込むことができ、ストレージ装置１が搭載するＤＥ４や各種ケーブル等に対する保守性を犠牲にすることなく、ＤＥ４をストレージ装置１の前後の搭載レール２０８，３０７に搭載することができる。また、搭載レール２０８，３０７の上部であるデータセンタの建屋の天井付近にＤＥ４が搭載される場合であっても、ＤＥ４が内蔵するＨＤＤ等を容易に取り出すことができる。つまり、搭載レール２０８，３０７へのＤＥ４の搭載制限によって発生する搭載レール２０８，３０７の上部における無駄なスペースを減少させることができる。
【００７０】
制御部２０１ａは、可動筐体３が固定筐体２から引き出される前に、ＤＥ４が搭載するＨＤＤ等の駆動速度を低下させる。
これにより、可動筐体３が固定筐体２から引き出される際に発生する振動や衝撃によって、ＤＥ４に搭載されるＨＤＤ等に障害が発生することを防ぐことができる。また、ＤＥ４は振動や衝撃を緩衝するための構造を備える必要がなく、ＤＥ４の製造コストを低減させることができる。更に、障害発生の防止のためにＨＤＤ等の動作を停止させる必要がなく、ＨＤＤ等に対するアクセスが絶えず発生するクリティカルミッションな分野においてもストレージ装置１を使用することができ、ストレージ装置１の構成を必要以上に冗長化させる必要がない。
【００７１】
モータ２０７は、可動筐体３の摺動を抑止し、制御部２０１ａによってＤＥ４が搭載するＨＤＤ等の駆動速度が低下された後に摺動の抑止を解除する。
これにより、ＤＥ４が搭載するＨＤＤ等の駆動速度が低下させられる前やオペレータ等が意図しないときに、可動筐体３が固定筐体２から引き出されることによって、ＨＤＤ等に障害が発生することを防ぐことができる。
【００７２】
可動筐体３が固定筐体２に収納された状態で、固定筐体２に搭載されるＤＥ４と可動筐体３に搭載されるＤＥ４との間には排熱空間Ｄ（図１３参照）が形成される。ファン２０２は、固定筐体２及び可動筐体３から排出された熱を排熱空間Ｄを介して外部に排出する。
これにより、ストレージ装置１内の冷却を容易に行なうことができる。特に、高密度ＤＥでは排熱が困難であったストレージ装置１の前面側に搭載されるＨＤＤ等の排熱を効率的に行なうことができる。また、ストレージ装置１内の冷却のために高出力の冷却ファンを備える必要がなく、ストレージ装置１の製造コスト，消費電力及び騒音等を低減させることができる。
【００７３】
〔Ｂ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
上述した実施形態の一例においては、固定筐体２の搭載レール２０８，２０８及び可動筐体３の搭載レール３０７，３０７がともにＤＥ４を搭載することとしたが、これに限定されるものではない。
【００７４】
例えば、固定筐体２の搭載レール２０８，２０８及び可動筐体３の搭載レール３０７，３０７は、サーバ装置（不図示）からのストレージアクセス要求に従ってＤＥ４を制御するためのController Module（ＣＭ）を内蔵するController Enclosure（ＣＥ）等の種々の装置を搭載することができる。この場合にも、上述した実施形態の一例と同様の効果を奏することができる。
【００７５】
また、固定筐体２の搭載レール２０８，２０８及び可動筐体３の搭載レール３０７，３０７は、フレキシブルディスクドライブ，ＣＤ（ＣＤ−ＲＯＭ，ＣＤ−Ｒ，ＣＤ−ＲＷ等）ドライブ，ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等）ドライブ，ブルーレイディスクドライブ，磁気ディスクドライブ，光ディスクドライブ，光磁気ディスクドライブ等を搭載しても良い。この場合にも、上述した実施形態の一例と同様の効果を奏することができ、特に、可動筐体３が固定筐体２から引き出される前に、制御部２０１ａが駆動速度を低下させることによって、これらのドライブにおける障害の発生を抑止することができる。また、モータ２０７がこれらのドライブの駆動速度を低下させる前に、可動筐体３が固定筐体２から引き出されることによって、これらのドライブに障害が発生することを防ぐことができる。
【００７６】
また、上述した実施形態の一例においては、可動筐体３の右側面パネル３３に備えられるハンドル３０１１にのみ突起部３０１ｂが形成され、固定筐体２の右側柱２５にのみモータ２０７が備えられることとしたが、これに限定されるものではない。
突起部３０１ｂは可動筐体３の左側面パネル３４に備えられるハンドル３０１２にも形成され、穴３３１は可動筐体３の左側面パネル３４にも形成され、モータ２０７は固定筐体２の左側柱２６にも備えられても良い。この場合にも、上述した実施形態の一例と同様の効果を奏することができる他、可動筐体３のロック機構２０ｃが固定筐体２の左右に備えられるため、可動筐体３が固定筐体２から引き出されることを確実に抑止するという効果を奏することができる。
【００７７】
更に、上述した実施形態の一例において、上側ガイド部２０５，２０５及び下側ガイド部２０６，２０６の形状は直線状の溝の形状としたが、これに限定されるものではなく、例えば直線状の円筒又は角筒の形状としても良い。この場合には、上側ガイド部２０５，２０５及び下側ガイド部２０６，２０６は、可動筐体３の上側レール３０３，３０３及び下側レール３０４，３０４が円筒又は角筒に挿入されることによって、上側レール３０３，３０３及び下側レール３０４，３０４をそれぞれ案内する。
【符号の説明】
【００７８】
１        ストレージ装置
２        固定筐体
２０ａ    前面開口
２０ｂ    背面開口
２０ｃ    ロック機構
２０ｄ    ラック領域
２０ｅ    収納領域
２０１    操作パネル
２０１ａ  制御部
２０２    ファン
２０３    ＰＤＵ
２０４    パネル用ケーブル
２０５    上側ガイド部
２０６    下側ガイド部
２０７    モータ
２０７ａ  ロック部
２０８    搭載レール
２１      上面パネル
２１１    排気口
２２      底面パネル
２３      右側面カバー
２４      左側面カバー
２５      右側柱
２６      左側柱
２７      右側パネル
２８      左側パネル
２７      右側
３        可動筐体
３０ａ    前面開口
３０ｂ    背面開口
３０１１  ハンドル
３０１２  ハンドル
３０１ａ  把持部
３０１ｂ  突起部
３０２    キャスタ
３０３    上側レール
３０４    下側レール
３０５    クランプ
３０６    ＰＤＵ
３０７    搭載レール
３１      上面パネル
３２      底面パネル
３３      右側面パネル
３３１    穴
３４      左側面パネル
４        ＤＥ
【図１】
0006558085.tif 000002
【図２】
0006558085.tif 000003
【図３】
0006558085.tif 000004
【図４】
0006558085.tif 000005
【図５】
0006558085.tif 000006
【図６】
0006558085.tif 000007
【図７】
0006558085.tif 000008
【図８】
0006558085.tif 000009
【図９】
0006558085.tif 000010
【図１０】
0006558085.tif 000011
【図１１】
0006558085.tif 000012
【図１２】
0006558085.tif 000013
【図１３】
0006558085.tif 000014
【図１４】
0006558085.tif 000015
【図１５】
0006558085.tif 000016